(57)【要約】【課題】身体異常になった装着者の現在位置を他者に伝えやすくしたウェアラブル装置を提供する。【解決手段】ウェアラブル装置２は、情報を表示する表示部と、装着者であるユーザーの身体情報を取得するセンサー部と、現在位置を取得する位置取得部とを有し、ユーザーの身体情報に基づいて身体異常と判断した場合（ステップＳ１Ｂ；YES）、表示部を、少なくとも現在位置を通知する表示状態に制御する（ステップＳ１０Ｂ）。【選択図】図３
2017033495.tif 000002
【特許請求の範囲】
【請求項１】
情報を表示する表示部と、
装着者であるユーザーの身体情報を取得するセンサー部と、
現在位置を取得する位置取得部と、
前記身体情報に基づいて、前記装着者が身体異常か否かを判断する身体情報判断部と、
前記身体情報判断部が身体異常と判断した場合、前記表示部を、少なくとも前記現在位置を通知する表示状態に制御する制御部と、
を備えることを特徴とするウェアラブル装置。
【請求項２】
前記制御部は、前記身体情報判断部が身体異常と判断した場合、前記表示部に、前記現在位置を示す情報と、前記身体情報を示す情報とを表示させることを特徴とする請求項１に記載のウェアラブル装置。
【請求項３】
前記制御部は、前記現在位置を示す情報と、前記身体情報を示す情報とを切り替え表示させることを特徴とする請求項２に記載のウェアラブル装置。
【請求項４】
前記制御部は、前記身体情報判断部が身体異常と判断した場合、前記装着者を特定する情報を更に表示させることを特徴とする請求項１から３のいずれかに記載のウェアラブル装置。
【請求項５】
前記制御部は、前記身体情報判断部が身体異常と判断した場合、前記表示部を間欠的に駆動することを特徴とする請求項１から４のいずれかに記載のウェアラブル装置。
【請求項６】
前記身体情報判断部が身体異常と判断した場合に、前記位置取得部が、前記現在位置の取得を継続し、前記制御部は、最新の前記現在位置を通知することを特徴とする請求項１から５のいずれかに記載のウェアラブル装置。
【請求項７】
前記制御部は、取得した前記現在位置が所定期間に渡って変化しない場合、前記現在位置の取得を停止することを特徴とする請求項６に記載のウェアラブル装置。
【請求項８】
前記制御部は、前記現在位置を取得できない場合、最後に取得した現在位置を表示させるとともに、最新に取得した現在位置でない旨を表示させ、所定期間に渡って現在位置を取得できない場合は、現在位置の取得を停止することを特徴とする請求項６又は７に記載のウェアラブル装置。
【請求項９】
通信機能を備えない装置であることを特徴とする請求項１から８のいずれかに記載のウェアラブル装置。
【請求項１０】
前記身体情報または前記現在位置の少なくとも一方を送信する通信機能を更に備え、前記制御部は、前記通信機能により通信ができない場合に、前記表示部を、少なくとも前記現在位置を通知する表示状態に制御することを特徴とする請求項１から８のいずれかに記載のウェアラブル装置。
【請求項１１】
前記制御部は、前記現在位置を示す情報を、国際規格で定められたグリッド地図座標系に変換して表示させることを特徴とする請求項１から１０のいずれかに記載のウェアラブル装置。
【発明の詳細な説明】
【技術分野】
【０００１】
本発明は、ユーザーに装着されるウェアラブル装置に関する。
【背景技術】
【０００２】
ユーザーに装着されるウェアラブル装置の一つとして、対象者（ユーザー）が意識を失っても異常発生を通報できるバイタルセンサー装置が提案されている（例えば、特許文献１参照）。この特許文献１には、「バイタルセンサー装置１は、バイタルセンサー３からの信号を取り込み身体異常か否かの判定を行う。身体異常の発生を検出したならば、ブザー４に警報音の発生を指示する。次に、警報音の発生を指示してから所定時間内に停止ボタン５が押されなかったならば、ＧＰＳモジュール７から現在位置情報を取得する。現在位置情報とユーザーＩＤとを含む緊急信号を生成し、センター宛てに緊急信号を発信する。センターでは救急通報装置が緊急信号を解析してユーザーＩＤおよび現在位置情報を取得し、ユーザーＩＤを用いて個人情報データベース１４からユーザーＩＤに対応する個人情報を検索し、読み出し、個人情報および現在位置情報を表示装置１６に表示する。」ことが記載されている。
【先行技術文献】
【特許文献】
【０００３】
【特許文献１】特開２００２−２６９６６２号公報
【発明の概要】
【発明が解決しようとする課題】
【０００４】
従来の技術は、バイタルセンサー装置とセンターが通信可能であることが前提である。しかしながら、山岳遭難の場合や、自然災害の場合、必ずしもバイタルセンサー装置とセンターが通信可能であるとは限らない。
バイタルセンサー装置が小型軽量になればなるほど、険しい山中などで通信するのは困難となるし、電池寿命の問題もある。また、自然災害の場合、基地局自体が被災し、通信が遮断することもありうる。また、コスト削減、電池寿命、小型軽量化を考慮すると、通信機能自体をバイタルセンサー装置が持っていないことも想定しうる。
【０００５】
そこで、本発明は、身体異常になった装着者の現在位置を他者に伝えやすくしたウェアラブル装置を提供することを目的とする。
【課題を解決するための手段】
【０００６】
上記目的を達成するために、本発明のウェアラブル装置は、情報を表示する表示部と、装着者であるユーザーの身体情報を取得するセンサー部と、現在位置を取得する位置取得部と、前記身体情報に基づいて、前記装着者が身体異常か否かを判断する身体情報判断部と、前記身体情報判断部が身体異常と判断した場合、前記表示部を、少なくとも前記現在位置を通知する表示状態に制御する制御部と、を備えることを特徴とする。
本発明によれば、装着者であるユーザーの身体情報に基づいて身体異常と判断した場合、表示部を、少なくとも現在位置を通知する表示状態に制御するので、身体異常になった装着者の現在位置を他者に伝えやすくなる。
【０００７】
また、本発明は、上記構成において、前記制御部は、前記身体情報判断部が身体異常と判断した場合、前記表示部に、前記現在位置を示す情報と、前記身体情報を示す情報とを表示させることを特徴とする。本発明によれば、身体異常になった装着者の現在位置と身体情報とを他者に正確に伝えやすくなる。
【０００８】
また、本発明は、上記構成において、前記制御部は、前記現在位置を示す情報と、前記身体情報を示す情報とを切り替え表示させることを特徴とする。本発明によれば、ウェアラブル装置の表示画面が小さくても各情報を大きく表示できる。
【０００９】
また、本発明は、上記構成において、前記制御部は、前記身体情報判断部が身体異常と判断した場合、前記装着者を特定する情報を更に表示させることを特徴とする。本発明によれば、身体異常になった装着者を容易に特定しやすくなる。
【００１０】
また、本発明は、上記構成において、前記制御部は、前記身体情報判断部が身体異常と判断した場合、前記表示部を間欠的に駆動することを特徴とする。本発明によれば、消費電力を下げて駆動時間を延ばすとともに、点滅表示により他者の注意を引きやすくなる。
【００１１】
また、本発明は、上記構成において、前記身体情報判断部が身体異常と判断した場合に、前記位置取得部が、前記現在位置の取得を継続し、前記制御部は、最新の前記現在位置を通知することを特徴とする。本発明によれば、装着者が倒れた後に滑落等で移動しても、装着者の正確な位置を通知することができる。
【００１２】
また、本発明は、上記構成において、前記制御部は、取得した前記現在位置が所定期間に渡って変化しない場合、前記現在位置の取得を停止することを特徴とする。本発明によれば、装着者が動かないときは消費電力を下げて情報の表示時間を延ばすことができる。
【００１３】
また、本発明は、上記構成において、前記制御部は、前記現在位置を取得できない場合、最後に取得した現在位置を表示させるとともに、最新に取得した現在位置でない旨を表示させ、所定期間に渡って現在位置を取得できない場合は、現在位置の取得を停止することを特徴とする。本発明によれば、最新の現在位置か否かを他者に知らせることができ、ビル内などで位置を取得できない場合に無駄な電力消費を抑えることができる。
【００１４】
また、本発明は、上記構成において、通信機能を備えない装置であることを特徴とする。本発明によれば、簡易な構成で、身体異常となった装着者の現在位置を他者に正確に伝えやすくなる。
【００１５】
また、本発明は、上記構成において、前記身体情報または前記現在位置の少なくとも一方を送信する通信機能を更に備え、前記制御部は、前記通信機能により通信ができない場合に、前記表示部を、少なくとも前記現在位置を通知する表示状態に制御することを特徴とすることを特徴とする。本発明によれば、通信できない場合においても、身体異常となった装着者の現在位置を他者に正確に伝えやすくなる。
【００１６】
また、本発明は、上記構成において、前記制御部は、前記現在位置を示す情報を、国際規格で定められたグリッド地図座標系に変換して表示させることを特徴とする。本発明によれば、地名のない地域であっても身体異常となった装着者の現在位置を正確に伝えやすくなる。
【図面の簡単な説明】
【００１７】
【図１】本発明のウェアラブル装置を使用した監視システムを示す図。
【図２】監視システムの各部の機能構成を示す図。
【図３】監視システムの動作を示す図。
【図４】ＵＴＭグリッド地図の一例を示す図。
【図５】ＵＴＭグリッド座標を説明する図であり、（Ａ）はＵＴＮグリッド座標と緯度・経度との関係を示し、（Ｂ）はＵＴＮグリッド座標の構造を示す。
【図６】現在位置の通知処理を示すフローチャート。
【発明を実施するための形態】
【００１８】
以下、図面を参照して本発明の実施形態について説明する。
本発明の理解を容易にするために 、まずは、ウェアラブル装置と監視システム間の通信が可能である場合のシステムの動作の説明を行う。通信が可能でない場合については後述する。
図１は、本発明のウェアラブル装置を使用する監視システムを示す図である。
この監視システム１は、ウェアラブル装置２によってユーザー（装着者）の身体異常が検出された場合に、救急救命機関である消防署への連絡などを行うシステムである。この監視システム１は、多数のユーザーに装着される多数のウェアラブル装置２と、ウェアラブル装置２と近距離通信可能なゲートウェイ装置３とを備えている。また、この監視システム１は、通信ネットワーク（本実施形態ではインターネット）４に通信接続される健康管理サーバー５と、消防署の通信指令室の窓口となる窓口サーバー６とを備えている。なお、本実施形態では、一人のユーザー７を例に説明する。
【００１９】
健康管理サーバー５は、ウェアラブル装置２からゲートウェイ装置３を介して送られた身体情報を記憶し、必要に応じて消防署などに情報提供するサービス提供サーバーである。ここで、身体情報とは、ウェアラブル装置２が取得するユーザー７の身体に関する情報であって、医学的または生理学的な事項に関する身体情報のことであり、狭義のバイタルサイン（心拍数、血圧、血中酸素濃度、体温）であってもよく、脳波、体脂肪率、血液型等を含む情報であってもよい。以下の説明では、身体情報のことをバイタル情報とも言う。
窓口サーバー６は、ゲートウェイ装置３からの緊急通報（身体異常の通知）を受けると、その対応（救急救命の対応）を行う通報受付サーバーである。つまり、窓口サーバー６は、いわゆる１１９番通報に相当する緊急通報を受け付け、適切な救急隊への連絡などを行う。
【００２０】
ウェアラブル装置２は、ユーザー７に装着される比較的小型の装置である。このウェアラブル装置２は、ユーザー７のバイタル情報を取得する機能、及び現在位置を取得可能な位置取得機能を少なくとも具備する携帯型情報処理装置である。本実施形態では、ウェアラブル装置２が、ユーザー７の手首に装着可能な腕時計型であり、ゲートウェイ装置３を介して通信ネットワーク４にアクセス可能であり、近年着目されるＩｏＴ（Internet of Things）に分類される装置である。
なお、ウェアラブル装置２の別態様としては、メガネ型、指輪型、又は衣服型などのユーザー７が装着可能な携帯型情報処理装置を広く適用可能である。
【００２１】
このウェアラブル装置２は発電部１９を備え、発電部１９で発電された電力を電源部２０に蓄える。発電部１９には、ソーラー発電、熱発電、或いは、ユーザー７の手首などの動きで回転する回転錘の運動エネルギーを利用して発電する装置などの公知の装置を広く適用可能である。電源部２０はウェアラブル装置２の各部に動作電力を供給する。発電部１９を備えることによって、災害時でもウェアラブル装置２を継続使用し易くなる。なお 、発電部１９を備えず、一次電池または二次電池を電源としてもよい。
【００２２】
ゲートウェイ装置３は、ウェアラブル装置２と、通信ネットワーク４に接続された各装置（健康管理サーバー５と窓口サーバー６を含む）との間の通信を中継する装置である。このゲートウェイ装置３は、ウェアラブル装置２と近距離通信し、且つ、通信ネットワーク４に接続された装置と通信する通信機能、及び現在位置を取得可能な位置取得機能を少なくとも具備している。
図１には、ゲートウェイ装置３として、移動通信網を介して通信ネットワーク４にアクセス可能で、且つ、ユーザー７が携帯するスマートフォン（携帯型通信端末）を使用した場合を示している。
【００２３】
なお、ゲートウェイ装置３の別態様は以下の通りである。ゲートウェイ装置３は、スマートフォン以外の携帯型通信端末、例えば、携帯電話機、又は無線ルーターなどでも良い。また、ゲートウェイ装置３が、移動型の通信端末（例えば、飛行船、無人飛行機又はドローンなどの飛行物体、道路等を走行する車両）でも良いし、地面や建築物に固定設置される固定型の通信端末でも良い。また、これら移動型又は固定型の通信端末が、無線通信網の一部を構成する基地局でも良い。例えば、移動型の基地局は、飛行船又はドローンとして形成され、災害時などに災害エリアで使用され、移動通信網の復旧に利用され、また、無線ＬＡＮなどの近距離通信エリアを適宜に構築可能である。固定型の基地局は、例えば、ビルの各階に設置され、無線ＬＡＮなどの近距離通信エリアを適宜に構築可能である。
【００２４】
図２は監視システム１の各部の機能構成を示す図である。
ウェアラブル装置２は、制御部１１、センサー部１２、入力部１３、記憶部１４、近距離通信部１５、表示部１６、音声出力部１７、及び位置取得部１８を備えている。
制御部１１は、ＣＰＵ、ＲＯＭ及びＲＡＭなどを有するコンピューター構成を具備し、各部の制御や演算処理を中枢的に行う情報処理部として機能する。センサー部１２は、装着者であるユーザー７のバイタル情報などを取得するセンサーを有している。このセンサーには、以下に例示するセンサーの少なくとも一つ以上が適用される。加速度を検出する加速度センサー（重力センサーを含む）、角速度を検出する角速度センサー、ユーザー７の心拍数を検出する心拍センサー、又はユーザー７の血圧を検出する血圧センサー、血中酸素濃度を検出する光学センサー。ユーザー７の脳波を検出する脳波センサー、温度を検出する温度センサー、地磁気を検出する地磁気センサー（方位センサーとも称する）、又は気圧を検出する気圧センサー（高度センサーとも称する）。
【００２５】
制御部１１は、センサー部１２によりユーザー７の動き（加速度、角速度、進行方向（方位）、高度変化（気圧変化）など）や、バイタル情報そのもの（心拍数、血圧、脳波など）を検出することで、ユーザー７の活動量、及び身体異常を検出する。なお、身体異常は、例えば、心拍数、血圧及び脳波の少なくともいずれかが予め定めた異常の条件を満たした場合に身体異常と判断する。また、温度センサーは、ユーザー７の体温を検出するために使用しても良いし、周囲温度を検出するために使用しても良い。この活動量や身体異常の検出は、公知の手法を広く適用可能である。
なお、センサー部１２は、ユーザー７のバイタル情報の検出だけに限らず、ウェアラブル装置２の動きなどを検出するために使用されても良い。例えば、ウェアラブル装置２が撮影部（カメラ）を有する場合に、角速度センサーの検出結果に基づき手ぶれ補正を行っても良い。
【００２６】
入力部１３は、ユーザー７の指示を入力する装置であり、不図示の操作スイッチ、及び表示部１６に設けられたタッチパネルなどを介してユーザー７の指示を入力する。
記憶部１４は、ウェアラブル装置２が各種処理を行うために必要な制御プログラムやデータを記憶する装置である。この記憶部１４には、緯度及び経度からなる位置情報を、後述するＵＴＭグリッド座標に変換する情報を記述した座標変換データベース（座標変換ＤＢ）１４Ａも記憶されている。また、記憶部１４には、ユーザー７を特定する情報（氏名、住所、電話番号等）である装着者情報１４Ｂも記憶されている。
【００２７】
近距離通信部１５は、制御部１１の制御の下、ゲートウェイ装置３などと近距離無線通信する装置であり、本実施形態では、Bluetooth（登録商標）、無線ＬＡＮ、或いはZigBee（登録商標）の規格に従って通信する。また、本実施形態では、図２に示すように、ウェアラブル装置２、及びゲートウェイ装置３が、同規格に従った近距離通信部３１を備える印刷装置９と通信可能である。これによって、印刷装置９に対し、ウェアラブル装置２、又はゲートウェイ装置３から印刷データを無線送信することにより、印刷装置９が具備する印刷部３２（媒体出力部）により、印刷データに対応する画像を記録した印刷媒体を出力させることが可能である。
【００２８】
表示部１６は、液晶パネル又は有機ＥＬ（Electro-Luminescence）パネル、電子ペーパーなどの表示デバイスを有し、制御部１１の制御の下、ユーザー７などに対して各種の情報を表示する。音声出力部１７は、アンプ及びスピーカーを有し、制御部１１の制御の下、ユーザー７などに対して各種の音声を出力させる。
位置取得部１８は、ＧＰＳ(Global Positioning System)を利用して現在位置を取得する装置であり、不図示のＧＰＳアンテナを介してＧＰＳ衛星からの電波を受信し、緯度及び経度からなる現在位置を演算により取得する。なお、本実施形態では、ＧＰＳを利用した場合を例示するが、ＧＰＳ以外の他の位置取得方法を用いても良い。
【００２９】
ゲートウェイ装置３は、制御部２１、通信部２２、入力部２３、記憶部２４、近距離通信部２５、表示部２６、音声出力部２７、及び位置取得部２８を備えている。
制御部２１は、ＣＰＵ、ＲＯＭ及びＲＡＭなどを有するコンピューター構成を具備し、各部の制御や演算処理を中枢的に行う情報処理部として機能する。通信部２２は、制御部２１の制御の下、所定の無線通信網などの規格に従って通信を行う。これにより、ゲートウェイ装置３は、無線通信網を利用した各種サービス（電話、携帯電話会社からの災害発生の緊急速報など）の利用、及び、無線通信網を介して通信ネットワーク４からの各種サービスの利用ができる。
また、通信部２２は、制御部２１の制御の下、ウェアラブル装置２と通信ネットワーク４との間の通信を中継する。これによって、ウェアラブル装置２が通信ネットワーク４にアクセスし、通信ネットワーク４に接続された各種サーバーから各種のデータを受信することができる。
【００３０】
入力部２３は、ユーザー７の指示を入力する装置であり、不図示の操作スイッチ、及び表示部２６に設けられたタッチパネルなどを介してユーザー７の指示を入力する。
記憶部２４は、ゲートウェイ装置３が各種処理を行うために必要な制御プログラムやデータを記憶する装置である。
近距離通信部２５は、制御部２１の制御の下、ウェアラブル装置２や印刷装置９などと近距離無線通信する装置であり、本実施形態では、Bluetooth、無線ＬＡＮ、或いはZigBeeの規格に従って通信する。
【００３１】
表示部２６は、液晶パネル又は有機ＥＬパネルなどの表示デバイスを有し、制御部２１の制御の下、ユーザー７などに対して各種の情報を表示する。音声出力部２７は、アンプ及びスピーカーを有し、制御部２１の制御の下、ユーザー７などに対して各種の音声を出力させる。
位置取得部２８は、ＧＰＳを利用して現在位置を取得する装置であり、不図示のＧＰＳアンテナを介してＧＰＳ衛星からの電波を受信し、緯度及び経度からなる現在位置を演算により取得する。ゲートウェイ装置３は、この位置取得部２８により現在位置を得、現在位置を含む周辺地図の表示などを行うことができる。なお、本実施形態では、ＧＰＳを利用した場合を例示するが、ＧＰＳ以外の他の位置取得方法を用いても良い。
【００３２】
図３は監視システム１の動作を示す図である。
ウェアラブル装置２は、制御部１１の制御の下、センサー部１２によりユーザー７のバイタル情報を定期的に取得し、バイタル情報に基づいて身体異常か否かを判断している（ステップＳ１Ｂ）。身体異常でないと判断した場合（ステップＳ１Ｂ；NO）、ウェアラブル装置２は、制御部１１の制御の下、近距離通信部１５により、バイタル情報をゲートウェイ装置３に送信する（ステップＳ２Ｂ）。ゲートウェイ装置３は、制御部２１の制御の下、近距離通信部１５により、バイタル情報を健康管理サーバー５に送信する（ステップＳ３Ｂ）。
健康管理サーバー５では、バイタル情報を受信すると、ユーザー毎にバイタル情報を蓄積・管理する（ステップＳ４Ｂ）。
【００３３】
ここで、ステップＳ１Ｂの判断で身体異常と判断された場合（ステップＳ１Ｂ；YES））、ウェアラブル装置２は、制御部１１の制御の下、近距離通信部１５によりゲートウェイ装置３と通信可能か否かを判断する（ステップＳ５Ｂ）。通信可能な場合（ステップＳ５Ｂ；YES）、制御部１１の制御の下、近距離通信部１５により、ウェアラブル装置２に対し、ユーザー７の身体異常を通知し、且つ、ウェアラブル装置２の現在位置を示す位置情報とバイタル情報とを送信する（ステップＳ６Ｂ）。
このステップＳ６Ｂで送信する位置情報は、位置取得部１８で取得された緯度及び経度からなる位置情報を、ＵＴＭグリッド座標に変換した情報とされる。
なお、このＵＴＭグリッド座標への変換は、制御部１１が座標変換ＤＢ１４Ａ（図２参照）に基づいて行う。つまり、制御部１１は、ユーザー７が身体異常か否かを判断する身体情報判断部として機能するとともに、緯度及び経度からなる位置情報を利用してＵＴＭグリッド座標を得る位置情報利用部として機能する。
【００３４】
続いて、ゲートウェイ装置３は、制御部２１の制御の下、窓口サーバー６に対し、通信部２２によりユーザー７の身体異常を通知する緊急通報を送信する（ステップＳ７Ｂ）。この緊急通報を送る際には、ウェアラブル装置２から送られたＵＴＭグリッド座標、及びバイタル情報も合わせて窓口サーバー６に送信する。
窓口サーバー６は、この緊急通報を受けると、身体異常者（ユーザー７）への対応（救急救命の対応）を行う（ステップＳ８Ｂ）。これにより、救急救命の対応を自動的に行うことができ、迅速な対応が可能になる。
また、ゲートウェイ装置３は、制御部２１の制御の下、通信部２２により、健康管理サーバー５に対し、身体異常時のバイタル情報を送信する（ステップＳ９Ｂ）。これによって、健康管理サーバー５側では、ユーザー７の身体異常時のバイタル情報も蓄積・管理される。
【００３５】
前述したＵＴＭグリッド座標について説明する。
ＵＴＭグリッドは、国際規格で定められたグリッド地図座標系であり、国際的にはＭＧＲＳ（Military Grid Reference System）と呼ばれ、地球上の位置を特定する方法、及びこの方法により表現される位置情報の形態である。ＵＴＭグリッドを利用すると、後述するように、緯度及び経度で表す座標に比べて簡易な表現で位置を特定できるという利点がある。
図４はＵＴＭグリッド地図の一例を示す図である。また、図５はＵＴＭグリッド座標を説明する図であり、図５（Ａ）はＵＴＮグリッド座標と緯度・経度との関係を示した図、図５（Ｂ）はＵＴＮグリッド座標の構造を示した図である。
ＵＴＭグリッド地図は、ユニバーサル横メルカトル図法で作成された地図を、南北方向及び東西方向に所定の長さを単位として区分した地図である。ＵＴＭグリッド地図は、所定の間隔で南北方向及び東西方向に延びるグリッド（罫線）を有し、グリッドで区切られた領域（範囲）を、座標により特定する。この座標をＵＴＭグリッド座標と呼ぶ。
典型的なＵＴＭグリッドでは、対象の地域（地球上全体としてもよい）を１００ｋｍ四方で区切った最大の区分を有し、この区分された１００ｋｍ四方を、１００ｍ、１０ｍ、及び１ｍのいずれかの間隔のグリッドで区切る。ＵＴＭグリッド座標は、最大の区分に対して付与される５桁のエリアコードと、この区分における位置を特定する所定桁数のコードとを組み合わせた階層構造を有する。
【００３６】
１００ｋｍ四方の区分を特定する５桁のエリアコードは、例えば、図５（Ｂ）に例示する「53SME」である。このエリアコードが含む「53」は東西方向の位置を示す座標体番号である。エリアコードの「S」は、緯度方向（南北方向）を８度ごとに区切り、アルファベット１文字を割り当てたものである。エリアコードの「ME」は、１００ｋｍ四方を特定するＵＴＭ１００Ｋｍ平方地域コードであることを示す符号である。東西方向の座標体番号は経度の範囲（図の例では東経132-138°）に対応し、南北方向の位置を示す符号は、緯度方向を所定長さ（図の例では８°）毎に区切ったときの範囲に対応する。エリアコードは省略可能である。例えば日本全国を対象としてＵＴＭグリッド座標で位置を表す場合、対象となる範囲が最大の区分である１００ｋｍ四方よりも大幅に大きいため、エリアコードを必要とする。これに対し、１００ｋｍ四方に収まる範囲内で位置を特定する場合には、どの位置も同じ５桁のエリアコードを有するので、エリアコードを省略できる。
【００３７】
１００ｍ、１０ｍ、または１ｍ単位のグリッドで区分される四角形の領域は、南北方向の位置を示すｎ桁の数（ｎは整数）と、東西方向の位置を示すｎ桁の数とによって特定される。この２ｎ桁の数の数を、ＭＧＲＳ座標と呼ぶこともある。例えば、図４において矢印で示す位置を含む領域のＵＴＭグリッド座標は「886-355」である。また、図５（Ａ）の例では、緯度及び経度で表される座標「北緯34°22′2.6″、東経133°55′43.4″」は、ＵＴＭグリッド座標で「53SME  015-034」と表現される。
グリッドの間隔が１００ｍの場合、ＵＴＭグリッド座標はｎ＝３の６桁の数で表される。また、グリッドの間隔が１０ｍの場合、ＵＴＭグリッド座標はｎ＝４の８桁の数で表され、グリッドの間隔が１ｍの場合のＵＴＭグリッド座標はｎ＝５の１０桁の数で表される。
【００３８】
このように、ＵＴＭグリッド座標は、特定の位置（地点）を含むエリアを表し、その精度は、グリッドの間隔（１００ｍ、１０ｍ、または１ｍ）で決定される。ＵＴＭグリッド座標の桁数が「015-034」のように６桁の場合は、１００ｍ四方のエリアを特定でき、言い換えれば精度は１００ｍである。座標が８桁（４桁＋４桁）の場合は１０ｍ範囲を示す精度、１０桁（５桁＋５桁）の場合は１ｍ範囲を示す精度となる。座標の桁数を多くすれば高精度で位置を特定することができ、高精度が要求されない場合は座標の桁数を少なくできる。
【００３９】
緯度・経度で現在地を表記する場合は、例えば、５桁の場合、整数部分は３ケタ必要なので、小数点以下は２桁となる。緯度・経度の１度は約１１１ｋｍ（40000ｋｍ/３６０度）なので、小数点以下２桁では、約１．１１ｋｍの精度である。小数点以下４桁（すなわち全体で７桁）まで使用して約１１ｍの精度が出る。
つまり、緯度経度による場所の指定では、７桁─７桁以上の文字列になり、人が口頭で連絡すると、伝達ミスを招くおそれがある。
上述した理由から、グリッド座標を用いることが、極めて有効である。特にＵＴＭ座標値では、４桁─４桁の組み合わせによって、緯度・経度が７桁─７桁と同様の精度になる。
【００４０】
ＵＴＭグリッド座標は、緯度及び経度により位置を表現する場合に比べて情報量が少なく、表現が単純であるという利点を有する。図５（Ａ）、（Ｂ）の例では、エリアコード「53SME」を省略して座標を「015-034」と表すことができるが、この６桁の数により位置を１００ｍの精度で特定できる。座標の構造が単純であるため、特に、人から人に伝達する場合の正確性・簡便性に優れ、例えば電話や無線等で位置を伝える場合に有用である。ＵＴＭグリッド地図、及びＵＴＭグリッド座標を利用すれば、地名や住所表記（例えば地番）を知らない人であっても、位置を容易に特定し把握できる。地名や住所表記は、難読地名や複雑な行政区分を有する地域では、地域外の人には難解である。このため、例えば、災害発生時に被災地域において救助活動等に従事する人が、被災地域の特定の位置を表す場合、地名や住所に頼らない方法を用いることが好ましい。特に、県内外から応援派遣が発生するような広域災害や救急救命の場合は、地名や住所を利用しない方法が好適である。ＵＴＭグリッド座標は、わずか数桁の数により確実に位置を表現できるので、位置を伝達する場合に非常に有効なツールということができる。
【００４１】
図３に示すように、この監視システム１では、ユーザー７の位置をＵＴＭグリッド座標で窓口サーバー６に伝えるので（ステップＳ７Ｂ参照）、ユーザー７が地名又は地番のない山岳地帯などにいても、ユーザー７の位置を正確に伝えることができる。
ところで、ステップＳ７Ｂの窓口サーバー６への通報などは、ウェアラブル装置２がゲートウェイ装置３を介して窓口サーバー６と通信可能であることが前提であり、山岳遭難や自然災害の場合は必ずしも通信可能とは限らない。
そこで、本実施形態では、ウェアラブル装置２において身体異常と判断した場合、ウェアラブル装置２の制御部１１により、表示部１６を少なくとも現在位置を通知する表示状態に維持（制御）する。
【００４２】
詳述すると、図３に示すように、この監視システム１では、ステップＳ５Ｂの処理で通信不能と判断された場合、ウェアラブル装置２では、制御部１１の制御の下、現在位置の通知処理が行われる（ステップＳ１０Ｂ）。なお、通信不能とは、ウェアラブル装置２とゲートウェイ装置３との間の通信不能に限定されない。ウェアラブル装置２とゲートウェイ装置３との間の通信が可能であっても、ゲートウェイ装置３と健康管理サーバー５または窓口サーバー６との間の通信が不能の場合も、ステップＳ５Ｂにおいて通信不能と判断してもよい。
図６は、現在位置の通知処理を示すフローチャートである。
ウェアラブル装置２の制御部１１は、まず、表示部１６を、ユーザー７の位置を示すＵＴＭグリッド座標と、バイタル情報と、記憶部１４に記憶された装着者情報とを表示した表示状態にする制御を開始し、また、表示部１６の間欠駆動を行う（ステップＳ２１Ｂ）。これにより、ユーザー７が意識レベルの低い状態であっても、他者に、ユーザー７の現在位置を示すＵＴＭグリッド座標で伝えることができる。従って、他者が、電話のある場所に移動後、救急救命機関に電話連絡する際に、ＵＴＭグリッド座標で身体異常のユーザー７の位置を正確に伝えやすくなる。しかも、バイタル情報を表示するので、ユーザー７の体調を他者が容易に把握できる。また、装着者情報も表示するので、ユーザー７の特定が容易である。
【００４３】
また、表示部１６を間欠駆動（例えば１秒間隔で表示、消灯を繰り返す）させるので、消費電力を低下させるとともに、点滅表示により他者の注意を引きやすくなる。なお、この時、位置取得部１８による位置情報の取得間隔を長くすることにより、さらに消費電力を低下させてもかまわない。
ここで、ＵＴＭグリッド座標とバイタル情報と装着者情報の表示については、表示部１６の表示面積は比較的小さいので、同時に表示させる方法よりも、所定順で切り替え表示させる。但し、切り替え表示に限らず、様々な表示を適用しても良い。
【００４４】
制御部１１は、位置取得部１８により位置情報の定期的な取得を継続し、最新の位置情報に対応するＵＴＭグリッド座標を得ると、表示部１６に表示させる（ステップＳ２２Ｂ）。従って、仮にユーザー７が山岳移動中に倒れた後に滑落等でユーザー７の位置が移動しても、ユーザー７の正確な位置を通知することができる。
また、制御部１１は、位置情報を取得できないか否かを判断する（ステップＳ２３Ｂ）。そして、位置情報を取得できている場合（ステップＳ２３Ｂ；NO）、制御部１１は、取得した位置情報が変化しない状態が予め定めた期間、継続しているか否かを監視する（ステップＳ２４Ｂ）。
【００４５】
位置情報が変化しない状態が継続しなければ（ステップＳ２４Ｂ；NO）、制御部１１は、所定の割り込み周期でステップＳ２１Ｂの処理に移行する。これによって、ＵＴＭグリッド座標と、バイタル情報と、装着者情報とを表示した表示状態を継続させる。
一方、位置情報が変化しない状態が継続した場合（ステップＳ２４Ｂ；YES）、制御部１１は、位置情報の取得を停止する（ステップＳ２５Ｂ）。つまり、ユーザー７の位置が動いていないと判断できるときは、位置情報の取得を停止する分だけ消費電力を下げた節電状態に移行し、ウェアラブル装置２の駆動時間、つまり、各種情報の表示時間を延ばす。
【００４６】
また、ステップＳ２３Ｂの判断で位置情報を取得できない場合（ステップＳ２３Ｂ；YES）、制御部１１は、最後に取得した位置情報（ＵＴＭグリッド座標）の表示を継続し、且つ、最新の位置情報でない旨のメッセージを表示部１６に表示させる（ステップＳ２６Ｂ）。
この場合、制御部１１は、位置情報を取得できない状態が予め定めた期間、継続したか否かを監視し（ステップＳ２７Ｂ）、取得できない状態が継続しなければ（ステップＳ２７Ｂ；NO）、所定の割り込み周期でステップＳ２１Ｂの処理に移行する。これに対し、取得できない状態が継続した場合（ステップＳ２７Ｂ；YES）、ステップＳ２５Ｂの処理に移行する。これによって、ビル内などで位置を取得できない場合に、位置情報の取得を停止し、節電状態に移行してウェアラブル装置２の駆動時間、つまり、各種情報の表示時間を延ばす。
なお、ステップＳ２５Ｂの節電状態に移行した場合、その状態を継続しても良いし、或いは、所定の時間が経過すると、節電状態を解除してステップＳ２１Ｂの処理に移行しても良い。また、ウェアラブル装置２に対し、節電状態を解除する所定の操作が行われた場合に、節電状態を解除しても良い。以上が現在位置の通知処理である。
【００４７】
また、上記の通知処理において、制御部１１が、音声出力部１７により、ＵＴＭグリッド座標を音声合成で読み上げたり、バイタル情報や装着者情報を音声通知したりする等、音声での通知を行うようにしても良い。また、制御部１１は、ユーザー７或いは他者から印刷指示の入力を受け付け、印刷指示を入力した場合、表示画像を印刷する印刷データを、通信範囲に存在する印刷装置９（図２参照）に無線送信し、印刷媒体に印刷させるようにしても良い。
また、図３では、ステップＳ１Ｂで身体異常と判断され、且つ、ステップＳ５Ｂで通信不能と判断された場合に、現在位置の通知処理（ステップＳ１０Ｂ）を行う場合を説明したが、これに限らない。例えば、ステップＳ１Ｂで身体異常と判断された場合、常にステップＳ１０Ｂの現在位置の通知処理を行うようにしても良い。
【００４８】
以上説明したように、本実施形態の監視システム１は、ウェアラブル装置２の装着者であるユーザー７の身体異常が検出された場合に、窓口サーバー６に対し、ウェアラブル装置２からゲートウェイ装置３を介して身体異常を通知するとともに、ユーザー７の位置情報などを通知する。これにより、通信可能な環境では、ユーザー７の身体異常と位置情報などを速やかに通知でき、ユーザー７の迅速な救命救急対応が可能になる。
しかも、位置情報を、国際規格で定められたグリッド地図座標系であるＵＴＭグリッド座標で通知するので、地名や地番による場所の特定が困難な場所（例えば山岳地帯や荒野など）であってもユーザー７の現在位置を正確に伝えやすくなる。
【００４９】
また、ウェアラブル装置２の制御部１１は、ユーザー７が身体異常と判断した場合、表示部１６を、少なくとも現在位置を通知する表示状態に制御するので、通信不能な環境でも、身体異常となったユーザー７の現在位置を他者に正確に伝えやすくなる。なお、この場合の他者は、ユーザー７を介抱する者、或いは、ユーザー７の同行者などが考えられる。
また、本実施形態では、ウェアラブル装置２単体で、位置取得部１８により取得した緯度及び経度からなる位置情報を、ＵＴＭグリッド座標に変換するので、ゲートウェイ装置３などの他の装置に依存せず、ＵＴＭグリッド座標の表示が可能である。従って、通信環境のない環境での使用に対応できる。
【００５０】
また、ウェアラブル装置２の制御部１１は、ユーザー７が身体異常と判断した場合、ユーザー７の現在位置を示す情報であるＵＴＭグリッド座標と、ユーザー７のバイタル情報とを表示させるので、ユーザー７の現在位置とバイタル情報とを他者に正確に伝えやすくなる。この場合、制御部１１は、ＵＴＭグリッド座標とＵＴＭグリッド座標とを切り替え表示させるので、表示画面が小さくても各情報を大きく表示できる。
【００５１】
また、制御部１１は、ユーザー７が身体異常と判断した場合、更に、ユーザー７を特定する装着者情報も表示させるので、ユーザー７を容易に特定しやすくなる。
また、制御部１１は、表示部１６を間欠的に駆動するので、消費電力を下げて駆動時間を延ばすとともに、点滅表示により他者の注意を引きやすくなる。
【００５２】
また、ウェアラブル装置２の制御部１１は、ユーザー７が身体異常と判断した場合に、現在位置の取得を継続させ、最新の現在位置を通知するので、仮にユーザー７が倒れた後に滑落等で移動しても、ユーザー７の正確な位置を通知することができる。
また、ウェアラブル装置２の制御部１１は、取得した現在位置が所定期間に渡って変化しない場合、現在位置の取得を停止するので、ユーザー７が動かないときは消費電力を下げて情報の表示時間を延ばすことができる。
【００５３】
また、ウェアラブル装置２の制御部１１は、現在位置を取得できない場合、最後に取得した現在位置を表示させるとともに、最新に取得した現在位置でない旨を表示させる。これによって、最新の現在位置か否かを他者に知らせることができる。しかも、制御部１１は、所定期間に渡って現在位置を取得できない場合は、現在位置の取得を停止するので、ビル内などで位置を取得できない場合に無駄な電力消費を抑え、各種情報の表示時間を延ばすことができる。
また、本実施形態では、ウェアラブル装置２は、動作電力を発電する発電部１９を備えるので、山岳地帯などの電源環境がない状況でも、長期間使用することが可能である。
【００５４】
なお、上述した実施形態は、本発明の好適な実施形態を示すものであり、本発明を限定するものではなく、本発明の要旨を逸脱しない範囲内において種々の変形実施が可能である。例えば、上述の実施形態では、ウェアラブル装置２で検出した位置情報を、ＵＴＭグリッド座標に変換して表示させる場合を説明したが、これに限らない。例えば、ゲートウェイ装置３で検出した位置情報を、ウェアラブル装置２が取得し、この取得した位置情報をＵＴＭグリッドに変換してウェアラブル装置２で表示させても良い。但し、この場合は、ウェアラブル装置２とゲートウェイ装置３とが通信可能な状態であることが必要になる。
【００５５】
また、上述の実施形態では、ユーザー７が身体異常の場合、ウェアラブル装置２に、バイタル情報、現在位置を示すＵＴＭグリッド座標、及び装着者情報を表示する場合を説明したが、これに限らない。少なくとも現在位置を示す情報を表示すれば、身体異常になった者の現在位置を他者に伝えやすくなる。
また、ウェアラブル装置２がバイタル情報、及び現在位置を送信する通信機能を具備する場合を説明したが、これに限らない。例えば、ウェアラブル装置２がバイタル情報、または現在位置の少なくとも一方を送信する通信機能を備え、制御部１１がその通信機能により通信ができない場合に、表示部１６を、少なくとも現在位置を通知する表示状態に制御するようにすれば良い。これにより、通信できない場合においても、身体異常となった装着者の現在位置を他者に正確に伝えやすくなる。
また、ゲートウェイ装置３にも、バイタル情報、現在位置を示すＵＴＭグリッド座標、及び装着者情報の少なくともいずれかを表示させても良い。この場合、表示対象の情報は、ウェアラブル装置２からゲートウェイ装置３に送信すれば良い。
【００５６】
また、上述の実施形態では、ウェアラブル装置２を使用した監視システム１に本発明を適用する場合を説明したが、本発明は、ウェアラブル装置２が、ユーザー７が身体異常の場合に、少なくとも現在位置を通知する表示状態に制御可能な範囲で、適宜に変更可能である。例えば、健康管理サーバー５、及び窓口サーバー６からなるサービス提供サーバーを備える場合を説明したが、サービス提供サーバーは適宜に変更が可能である。
【００５７】
また、ウェアラブル装置２から近距離通信部１５などを省略して通信機能を具備しないウェアラブル装置２に構成しても良い。上述したように、ウェアラブル装置２は、この装置２だけでバイタル情報、現在位置、ＵＴＭグリッド座標、及び装着者情報を取得できる。従って、通信機能がなくても、ユーザー７が身体異常の場合に、現在位置を示すＵＴＭグリッド座標などを表示することが可能である。これにより、簡易な構成で、身体異常となったユーザー７の現在位置を他者に正確に伝えやすくなる。
【００５８】
また、図２は、監視システム１を構成する各装置の機能ブロックとして、ハードウェアとソフトウェアとの協働により実現される機能的構成を示し、監視システム１を構成する各装置の具体的な実装形態は図２の構成に制限されない。従って、機能ブロック図における各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、監視システム１の他の各部の具体的な細部構成についても、本発明の趣旨を逸脱しない範囲で任意に変更可能である。
【符号の説明】
【００５９】
１…監視システム（位置情報利用システム）、２…ウェアラブル装置、３…ゲートウェイ装置、４…通信ネットワーク、５…健康管理サーバー（サービス提供サーバー）、６…窓口サーバー（サービス提供サーバー）、７…ユーザー、９…印刷装置、１１、２１…制御部（身体情報判断部）、１２、２２…センサー部、１３、２３…入力部、１４、２４…記憶部、１５、２５、３１…近距離通信部、１６、２６…表示部、１７、２７…音声出力部、１８、２８…位置取得部、２２…通信部、３２…印刷部。
【図１】
2017033495.tif 000003
【図２】
2017033495.tif 000004
【図３】
2017033495.tif 000005
【図４】
2017033495.tif 000006
【図５】
2017033495.tif 000007
【図６】
2017033495.tif 000008